(57)【要約】【課題】  遊技機本体に開閉可能に取り付けられる開閉枠の取付作業性を向上させるとともに開閉枠が不正に外されて機器内部が不正操作されることを確実に防止できる遊技機を得る。【解決手段】  パチンコ機１０では、内枠１４の上ヒンジ板１６２に設けたヒンジ軸１６４のヒンジ軸部１６６にガラス枠２６の上ヒンジ機構１７０に設けた溝部１９４を係合させる際に、溝部１９４がヒンジ軸部１６６に案内されやすくなる案内部を設ける。また、圧縮コイルスプリング２１２により上方へ付勢されて先端部が溝部１９４の開口部に進入することにより、ヒンジ軸部１６６と溝部１９４との係合状態を保持するストッパー軸２０４は、Ｅリング２１０により上方への移動を規制して、ストッパー軸部２０６の先端が溝部１９４の開口部よりも上方へ突出されないようにする。【選択図】        図５
2005204851.tif 000002
【特許請求の範囲】
【請求項１】
遊技機本体に開閉枠を開閉可能及び着脱可能に取り付ける取付手段を備え、この取付手段によって前記遊技機本体に取り付けられた前記開閉枠が開閉されることにより遊技機本体の内部が開放及び閉塞される遊技機であって、
前記取付手段は、
前記遊技機本体及び前記開閉枠の何れか一方に設けられ、開閉枠の開閉動作における回転軸線と同軸的に配置された係合軸と、
前記遊技機本体及び前記開閉枠の何れか他方に設けられ、前記係合軸に係合及び離脱可能とされた係合凹部と、
前記前記係合軸に係合される前記係合凹部を係合位置に案内する、又は、前記係合凹部に係合される前記係合軸を係合位置に案内する案内部と、
前記回転軸線と平行に移動されて前記係合凹部の開口部へ進退可能とされた移動部材と、
前記移動部材を前記回転軸線と平行に移動可能に支持する支持手段と、
前記移動部材を前記開口部への進入方向へ付勢する付勢手段と、
前記開口部へ進入された前記移動部材が開口部の外側へ突出されないよう移動部材の進入位置を規制する規制手段と、
を有することを特徴とする遊技機。
【請求項２】
前記係合凹部、前記案内部、及び前記支持手段のうちの少なくとも２つを一体的に備える一体化部材を有することを特徴とする請求項１記載の遊技機。
【発明の詳細な説明】
【技術分野】
【０００１】
本発明は、遊技機に係り、詳細には、遊技機本体に開閉枠を開閉可能及び着脱可能に取り付ける取付手段を備えた遊技機に関する。
【背景技術】
【０００２】
パチンコ機等の遊技機では、遊技機本体を構成する内枠の開口部に遊技盤が取り付けられ、遊技盤の盤面側は、内枠の前面に開閉可能に取り付けたガラス枠によって覆われている。ただし、ガラス枠が内枠に開閉可能に支持される支持部（ヒンジ部）は、遊技盤に設けられた遊技部品等の不正操作を目的として支持状態が不正に解除される恐れがあるため、この不正行為に対する様々な防止策が採られている。
【０００３】
例えば、ガラス枠の上ヒンジ軸が内枠の上ヒンジ孔に挿入された状態で、上ヒンジ軸と一体の係止軸に係止する阻止ピンを設け、この阻止ピンによって係止軸の下降を阻止し、上ヒンジ軸のガラス枠上面への没入を阻止するもの（例えば、特許文献１参照）、あるいは、基枠（枠体）とガラス枠とを連結するためのヒンジ連結部を構成する支持スリーブに挿通された上側ヒンジピンの一端部を、支持スリーブに垂直状態で挿通された起立部に対して略直角に折り曲げて係合部を形成し、基枠を構成する柱状部材における上側ヒンジピンの係合部と対応する部分に、ガラス枠の閉状態で係合部を係合させるための係合凹部を設けることにより、ガラス枠を基枠に閉じると、上側ヒンジピンの係合部が基枠の柱状部材に設けられた係合凹部に係合して上側ヒンジピンが上下方向に移動不能となるようにしたものがある（例えば、特許文献２参照）。
【特許文献１】特開２００３−２１０７８９号公報
【特許文献２】特開２００２−２１９２５３号公報
【発明の開示】
【発明が解決しようとする課題】
【０００４】
しかしながら、上記特許文献１に記載される遊技機では、阻止ピンやその取付用のベース板等を用いていることで部品点数が多く、部品コスト及び取付作業コストによるコストアップを招く問題がある。また、内枠の上ヒンジ孔に上ヒンジ軸の上端部を位置合わせして挿入する際の位置合わせ作業性も悪い。
【０００５】
また、特許文献２に記載される遊技機でも、基枠側支持板に嵌め合わせられるガラス枠側支持板の凹状部が広く開口しているため、ガラス枠の上側ヒンジピンの上端部を基枠側支持板のピン挿通孔に位置決めして挿入させる際に、基枠側支持板に嵌め合わせたガラス枠側支持板の凹状部は外れ易くなっており、嵌め合わせ状態でのガタ（遊び）も大きくなる。そのため、上側ヒンジピンの上端部を基枠側支持板のピン挿通孔に迅速に位置決めして挿入することはできず、取付作業性が悪いという問題がある。
【０００６】
本発明は上記事実を考慮して、遊技機本体に開閉可能に取り付けられる開閉枠の取付作業性を向上させるとともに開閉枠が不正に外されて機器内部が不正操作されることを確実に防止できる遊技機を提供することを課題とする。また、その構成を少ない部品点数により実現させて部品コスト及び取付作業コストを低減できる遊技機を提供することを課題とする。
【課題を解決するための手段】
【０００７】
上記目的を達成するために請求項１に記載の発明は、遊技機本体に開閉枠を開閉可能及び着脱可能に取り付ける取付手段を備え、この取付手段によって前記遊技機本体に取り付けられた前記開閉枠が開閉されることにより遊技機本体の内部が開放及び閉塞される遊技機であって、前記取付手段は、前記遊技機本体及び前記開閉枠の何れか一方に設けられ、開閉枠の開閉動作における回転軸線と同軸的に配置された係合軸と、前記遊技機本体及び前記開閉枠の何れか他方に設けられ、前記係合軸に係合及び離脱可能とされた係合凹部と、前記前記係合軸に係合される前記係合凹部を係合位置に案内する、又は、前記係合凹部に係合される前記係合軸を係合位置に案内する案内部と、前記回転軸線と平行に移動されて前記係合凹部の開口部へ進退可能とされた移動部材と、前記移動部材を前記回転軸線と平行に移動可能に支持する支持手段と、前記移動部材を前記開口部への進入方向へ付勢する付勢手段と、前記開口部へ進入された前記移動部材が開口部の外側へ突出されないよう移動部材の進入位置を規制する規制手段と、を有することを特徴としている。
【０００８】
請求項１に記載の発明では、開閉枠が取付手段によって遊技機本体に開閉可能及び着脱可能に取り付けられる。この取付手段による取り付けでは、開閉枠の開閉動作における回転軸線と同軸的に配置されて遊技機本体及び開閉枠の何れか一方に設けられた係合軸に、遊技機本体及び開閉枠の何れか他方に設けられた係合凹部を係合させる際は、又は、係合凹部に係合軸を係合させる際は、案内部によってその係合位置に案内される。ここで、係合凹部に対しては、支持手段によって回転軸線と平行に移動可能に支持された移動部材が、付勢手段により付勢されて係合凹部の開口部へ進入する。また、開口部へ進入された移動部材は、規制手段により進入位置が規制されて開口部の外側へ突出しないようにされる。この移動部材によって、係合位置に配置された係合軸又は係合凹部は、離脱方向への移動が阻止され係合状態に保持される。これにより、開閉枠が遊技機本体に取り付けられ、その取付状態では係合軸と係合凹部とは回転軸線回りに相対回転可能となり、開閉枠を遊技機本体に対して開閉できるようになる。また、開閉枠の取り外しでは、移動手段を付勢手段の付勢力に抗して退避方向へ移動させ、開口部から退避させると、係合軸と係合凹部とは離間する方向へ相対移動可能となり、係合軸と係合凹部との係合状態が解除可能となる。ここで、係合軸と係合凹部との係合状態を解除することにより、開閉枠は遊技機本体から取り外される。
【０００９】
このように、係合軸と係合凹部とを係合させるときは、案内部によってその係合位置に案内されるため、位置合わせが容易となる。また、例えば、器具等を用いて外部から移動部材を不正に操作しようとしても、移動部材は開口部の外側へ突出されないため、移動部材を退避方向へ押すようなことは不可能になる。これにより、遊技機本体に開閉可能に取り付けられる開閉枠の取付作業性が向上するとともに開閉枠が不正に外されて機器内部が不正操作されることを確実に防止できる。
【００１０】
請求項２に記載の発明は、請求項１記載の遊技機において、前記係合凹部、前記案内部、及び前記支持手段のうちの少なくとも２つを一体的に備える一体化部材を有することを特徴としている。
【００１１】
請求項２に記載の発明では、係合凹部、案内部、及び支持手段のうちの少なくとも２つを一体的に備える一体化部材を有することにより、部品点数を削減できて部品コスト及び取付作業コストを低減できる。
【発明の効果】
【００１２】
本発明の遊技機は上記構成としたので、遊技機本体に開閉可能に取り付けらる開閉枠の取付作業性が向上するとともに開閉枠が不正に外されて機器内部が不正操作されることを確実に防止できる。また、その構成を少ない部品点数により実現させて部品コスト及び取付作業コストを低減できる。
【発明を実施するための最良の形態】
【００１３】
以下、本発明の実施形態に係るパチンコ機について図面を参照して説明する。
【００１４】
図１には本発明の一実施形態に係るパチンコ機が示され、図２には本実施形態に係るパチンコ機に適用される内枠、ガラス枠、及び遊技盤が示されている。
【００１５】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００１６】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００１７】
ガラス枠２６の前面には、遊技の進行に応じて点灯又は点滅等し照明による演出効果を生み出す演出用の表示灯１４２がガラス板２２（遊技盤１００の遊技領域）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００１８】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００１９】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた後述する賞球払出装置８６から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００２０】
また、パネル部材３２の前面における左側下部には灰皿３８が設けられ、右側下部には打球の飛距離を調整するための発射ハンドル３９が取り付けられている。
【００２１】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００２２】
貯球タンク４２は、上面が開口した箱型とされ、底面４４が正面視にて左側から右側へ下り傾斜している。底面４４の傾斜方向上流側となる貯球タンク４２の左側面部にはタンク入口９７が形成され（図４参照）が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００２３】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００２４】
図３及び図４に示されるように、内枠１４の裏面上部には、島設備の球補給装置から供給される遊技球を貯える貯留タンク８０が取り付けられている。貯留タンク８０は、底面８２が裏面視左側から右側へ向けて下り傾斜されており、右側端部には、遊技球をパチンコ機１０の前後方向（奥行き方向）に２列に整列する球整列通路（排出通路）８４が形成されている。
【００２５】
貯留タンク８０の右側には、賞球払出装置８６が配置されて球導入通路８７が球整列通路８４に接続されている。この球導入通路８７と一体的に設けられたケース８８内には、球払出機構として、球整列通路８４及び球導入通路８７に対応して前後方向に所定の間隔で配列されるとともに位相が異なる２枚のカム板部（スプロケット）を備えたカム軸１３０が収納されている。また、カム軸１３０を回転駆動する駆動源としてのステッピングモータ１３２は、内枠１４の裏面に取り付けられたモータカバー１３４内に収納されており、モータカバー１３４の裏面にケース８８を取り付けると、ステッピングモータ１３２にカム軸８８が連結される（図４では球導入通路８７及びケース８８の図示を省略している。）
賞球払出装置８６の下方には、内枠１４裏面の右側端部に、上下方向に延出された球通路部材９０が配置されている。球通路部材９０は、３個のプラスチックファスナー９２によって内枠１４の裏面に着脱可能に取り付けられており、上端部に形成された球導入口９４が賞球払出装置８６の球排出口８９に接続され、下端部左側に形成された球排出口９６が、貯球タンク４２の裏面視右側面部に形成されたタンク入口９７に接続されている（図４参照）。また、図４に示されるように、球通路部材９０の内部に形成された球通路９８は、賞球払出装置８６に設けられたカム軸１３０の２枚のカム板部と対応して前後方向に隣接配置された一対の通路からなる２条構造とされており、球導入口９４と接続された上端部付近から下部までの所定範囲が前後方向に蛇行状に屈曲され、下部から左方向へ屈曲されて球排出口９６に接続されている。
【００２６】
これにより、貯留タンク８０内へ供給された遊技球は、貯留タンク８０内を右方向へ流下しながら球詰まりとならないよう球整列通路８４により前後方向に２列に整列され、球導入通路８７を通って賞球払出装置８６のカム軸１３０へ送り込まれ、賞球払出装置８６の作動時に、ステッピングモータ１３２が回転駆動しカム軸１３０を回転させると、カム軸１３０の各カム板部によって球導入通路８７の各列から交互に球排出口８９を通り下方へ排出される。そして、球通路部材９０の各球導入口９４に入り、球通路部材９０内の各球通路９８を通って球排出口９６からタンク入口９７を介し貯球タンク４２内へ排出される。また、球通路部材９０内の球通路９８が蛇行状にされているため、球通路９８を流下する遊技球（賞球）の速度が抑えられて球通路９８の下端部に加わる遊技球の落下衝撃は緩和される。さらに、貯球タンク４２内が満杯になり、賞球払出装置８６によって継続して払い出された遊技球が球通路９８に滞留する場合でも、球通路９８の下流側に滞留した遊技球に掛かる上流側の遊技球による圧力は、球通路９８の蛇行形状によって減少されるため、球通路９８あるいは貯球タンク４２内での球詰まり発生が防止される。
【００２７】
さらに、球通路部材９０から、図２に示される貯球タンク４２の右側面部に形成されたタンク入口９７を介して貯球タンク４２内へ導入された遊技球（賞球）は、正面視にて左側から右側へ下り傾斜している貯球タンク４２の底面４４上を転動し、タンク出口４５及び賞球排出口４６を介して一体皿３０の球皿部３４へ排出される。そして球皿部３４が遊技球で満杯になると、球皿部３４に貯留しきれない余剰球は貯球タンク４２に貯留される。また、貯球タンク４２の底面４４における最上流部（正面視左側部）には球検出スイッチが設けられており、貯球タンク４２が遊技球で満杯になり、球検出スイッチが遊技球に押されて満杯であることが検出されると、その満杯状態が解消されるまで、賞球の払い出しが一時的に停止する。
【００２８】
図３に示されるように、内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００２９】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００３０】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００３１】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００３２】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００３３】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００３４】
遊技領域１０１には、液晶ディスプレイを内蔵した特別図柄表示装置や、入賞口、始動口（スタート・チャッカー）、通過入賞口（スルー・チャッカー）、又、大入賞口（アタッカー）を備えた変動入賞装置（特別電動役物）がそれぞれ所定の位置に配置されると共に、遊技領域１０１内を落下する遊技球を所定の経路に誘導する多数の遊技釘等が設けられており（何れも図示省略）、最下位置にアウト口１２４が配置されている。
【００３５】
次に、本実施形態に係るパチンコ機１０における内枠１４にガラス枠２６を開閉可能及び着脱可能に取り付けるガラス枠取付機構について説明する。
【００３６】
上述したように、内枠１４の前面上部に配置されて遊技盤１００を覆っている本実施形態のガラス枠２６は、左側端部が内枠１４に軸支されて開閉可能に取り付けられている。
【００３７】
図２に示されるように、ガラス枠２６裏面の左側端部には、上下方向に延出されるとともに、上端部及び下端部がガラス枠２６の左上角部及び左下角部付近まで延出されたガラス枠補強板１５０が取り付けられている。ガラス枠補強板１５０の下端部には、ガラス枠２６の前面側へ略直角に曲げ形成された下ヒンジ部（図示省略）が設けられ、この下ヒンジ部にはヒンジ孔が形成されている。また、内枠１４の開口部２８の左下隅部には下ヒンジ板１５２が取り付けられており、下ヒンジ板１５２にはヒンジ軸（図示省略）が立設されている。この下ヒンジ板１５２のヒンジ軸に、ガラス枠補強板１５０の下ヒンジ部のヒンジ孔が挿入されることで、ガラス枠２６の左下端部は内枠１４に軸支されている。
【００３８】
一方、ガラス枠補強板１５０の上端部には、図５に示されるように、上ヒンジ機構１７０が設けられており、内枠１４の左上角部には、上ヒンジ機構１７０に対応するヒンジ軸１６４が下面に設けられた上ヒンジ板１６２が取り付けられている。ガラス枠２６を内枠１４に開閉可能及び着脱可能に取り付ける本実施形態のガラス枠取付機構１６０は、この内枠１４に取り付けられた上ヒンジ板１６２のヒンジ軸１６４及びガラス枠２６に取り付けられたガラス枠補強板１５０の上ヒンジ機構１７０を備えている。
【００３９】
図６に示されるように、上ヒンジ板１６２の下面に設けられたヒンジ軸１６４は、所定の径寸法とされたヒンジ軸部１６６と、ヒンジ軸部１６６よりも少し小径とされたカシメ部１６８とを備えた段付軸とされており、カシメ部１６８が上ヒンジ板１６２に形成された取付孔１６９に下方から圧入されて取り付けられている。
【００４０】
ガラス枠２６の上ヒンジ機構１７０は、図５に示されるように、ガラス枠補強板１５０の補強板本体１７２における上端１７４から少し下がった位置に、略矩形状に形成された開口部１７６を備えている。開口部１７６の上縁には、ガラス枠２６の前面側へ略直角に曲げ形成された下板部１７８が設けられており、下板部１７８の略中央には円形孔１８０が形成されている。
【００４１】
また、ガラス枠２６の裏面における下板部１７８の下側には、ブロック状のサポート部１８２が設けられている。サポート部１８２には、上面及び裏面が開口され上下方向に沿って延出された縦溝部１８４が形成されており、この縦溝部１８４は、下板部１７８の円形孔１８０の真下に位置するとともに、内幅寸法が円形孔１８０の径寸法よりも少し大きくされている。
【００４２】
補強板本体１７２の上端１７４には、下板部１７８と対応する中板部１８６が設けられている。中板部１８６は、補強板本体１７２の上端１７４からガラス枠２６の前面側へ略直角に曲げ形成され、下板部１７８と略平行に配置されている。中板部１８６の略中央には、下板部１７８の円形孔１８０と同径で、且つ、円形孔１８０と同軸的に配置された円形孔１８８が形成されている。
【００４３】
中板部１８６の前端には、その前端から上方へ略直角に曲げ形成された縦板部１９０が設けられている。縦板部１９０の上端には、その上端から補強板本体１７２（ガラス枠２６の裏面側）へ略直角に曲げ形成された上板部１９２が設けられている。
【００４４】
したがって、補強板本体１７２の上端１７４に一体的に設けられている中板部１８６、縦板部１９０、及び上板部１９２は、上端１７４から上方へ突出されて図示のようにコ字状に形成され、中板部１８６及び上板部１９２が略平行に配置されている。また、上板部１９２には、内枠１４側に設けられたヒンジ軸１６４のヒンジ軸部１６６と対応する溝部１９４が形成されて
図６に示されるように、上板部１９２の先端は、上板部１９２を平面視した際に、同軸的に配置されて重なって見える円形孔１８０、１８８の軸心よりも少し補強板本体１７２側に延ばされている。溝部１９４は、この上板部１９２の先端側から縦板部１９０に繋がれた基端側（ガラス枠２６の前面側）へ向けて平面視が略Ｊ字形に切り欠かれた形状とされている。
【００４５】
溝部１９４の溝底部１９６は、ヒンジ軸部１６６と略同径の半円形とされ、上板部１９２を平面視した際に重なって見える円形孔１８０、１８８よりもガラス枠２６の前面側に配置されるとともに、溝底部１９６の半円弧に重なる仮想円Ｃ、及び、溝底部１９６の右端から上板部１９２の先端側へ延出された直線状部が、共に円形孔１８０、１８８に略外接する位置に設けられている。また、この直線状部は右ガイド部１９８とされている。
【００４６】
溝底部１９６の左端からは、上板部１９２の左側端側へ円弧状に延出されており、この円弧状に形成（Ｒ加工）された部分はＲ部２００とされている。さらに、Ｒ部２００の左端からは、上板部１９２の左側端まで直線状に延出されており、この直線状部は左ガイド部２０２とされている。
【００４７】
また、図５に示されるように、同軸的に配置された下板部１７８の円形孔１８０及び中板部１８６の円形孔１８８には、ストッパー軸２０４が挿通されている。ストッパー軸２０４は、軸径が円形孔１８０、１８８の内径よりも僅かに小径とされており、円形孔１８０、１８８に挿通されるストッパー軸部２０６、及び、ストッパー軸部２０６の下端からストッパー軸部２０６に対して略直角に曲げ形成された操作部２０８を備えている。
【００４８】
また、ストッパー軸部２０６の上部周面には、ストッパー軸部２０６の上端から所定寸法下がった位置に周溝部（図示省略）が形成されており、この周溝部には、Ｅリング２１０が嵌め込まれて固定されている。Ｅリング２１０は、ストッパー軸２０４が円形孔１８０、１８８に挿通された状態では、図示のように中板部１８６の下側に配置されている。また、このＥリング２１０と下板部１７８との間には、ストッパー軸部２０６に挿通されて圧縮コイルスプリング２１２が配置されている。これらストッパー軸２０４、Ｅリング２１０、及び圧縮コイルスプリング２１２のガラス枠補強板１５０への取り付けについては、ガラス枠補強板１５０をガラス枠２６に取り付ける前に行われる。
【００４９】
その取付手順は、先ず、単体のガラス枠補強板１５０に対し、下板部１７８の下側から円形孔１８０にストッパー軸２０４のストッパー軸部２０６の先端を挿入する。先端が円形孔１８０を通り抜けてきたところで、圧縮コイルスプリング２１２の一端（下端）をストッパー軸部２０６の先端に挿入する。ここで、圧縮コイルスプリング２１２は、ストッパー軸２０４が中板部１８６側へ移動されるのに伴い圧縮させて、下板部１７８と中板部１８６との間に配置するようにする。これとともに、ストッパー軸２０４を中板部１８６側へさらに移動させ、ストッパー軸部２０６に圧縮コイルスプリング２１２を完全に挿通させて、ストッパー軸部２０６の先端を中板部１８６の円形孔１８８に挿入する。そして、周溝部が中板部１８６の手前に達したら、圧縮コイルスプリング２１２の他端（上端）を下板部１７８側へ少し押して周溝部を圧縮コイルスプリング２１２内から露出させ、その状態で、周溝部にＥリング２１０を嵌め込むと取り付けが完了する。この取付状態では、ストッパー軸２０４は、ストッパー軸部２０６に挿通されＥリング２１０と下板部１７８との間に配置された圧縮コイルスプリング２１２によって上方へ付勢され、Ｅリング２１０が中板部１８６の下面に当接した位置に保持される。
【００５０】
このようにして、ガラス枠補強板１５０にストッパー軸２０４、Ｅリング２１０、及び圧縮コイルスプリング２１２を取り付けた後に、ガラス枠補強板１５０をガラス枠２６の裏面に取り付ける。その際に、ストッパー軸２０４は、操作部２０８が開口部１７６内のほぼ中央に配置されるよう回転させて位置を合わせておく。この状態で、ガラス枠２６の裏面にガラス枠補強板１５０を取り付けると、ストッパー軸２０４の屈曲部（ストッパー軸部２０６と操作部２０８との接続部）がサポート部１８２の縦溝部１８４内に収まり、ストッパー軸２０４の軸心周りの回転が規制される。したがって、操作部２０８は、常に開口部１７６内のほぼ中央に位置して、ガラス枠２６の裏面側へ突出された状態となる。以上により、図５に示される上ヒンジ機構１７０が構成される。
【００５１】
また、この上ヒンジ機構１７０では、ストッパー軸２０４の操作部２０８を圧縮コイルスプリング２１２の付勢力に抗して指で押し下げると、ストッパー軸２０４は円形孔１８０、１８８にガイドされて下方へ移動する。この下方への移動は、操作部２０８の下端部が縦溝部１８４の下面に当接することで制限される。
【００５２】
図６（Ａ）に示されるように、ストッパー軸２０４が自由状態とされてＥリング２１０が中板部１８６の下面に当接しているときは、ストッパー軸部２０６の先端部が溝部１９４の開口部２１４に進入して開口部２１４内に配置されるとともに、ストッパー軸部２０６の上端面は上板部１９２の上面よりも僅かに下がった位置に配置される。また、操作部２０８が押し下げられストッパー軸２０４が最下方位置へ移動したときは、図６（Ｂ）に示されるように、ストッパー軸部２０６の先端部が溝部１９４の開口部２１４から退避するとともに、ストッパー軸部２０６の上端面は上板部１９２の下面から所定距離下がった位置に配置される。
【００５３】
次に、以上説明した本実施形態に係るパチンコ機１０における内枠１４へのガラス枠２６の取付方法及び作用について説明する。
【００５４】
本実施形態のパチンコ機１０において、内枠１４にガラス枠２６を取り付ける際は、先ず、ガラス枠２６を持ち上げて、前述した内枠１４側の下ヒンジ板１５２のヒンジ軸に、ガラス枠２６側の下ヒンジ部のヒンジ孔を挿入して、ガラス枠２６の左下端部を支える。
【００５５】
次に、内枠１４に対しガラス枠２６を開いた状態で、ガラス枠２６の左上端部の裏面側を内枠１４の上ヒンジ板１６２に接近させる。ここで、ガラス枠２６の上ヒンジ機構１７０が上ヒンジ板１６２のヒンジ軸１６４に近づいたら、ストッパー軸２０４の操作部２０８を押し下げストッパー軸２０４を最下方位置へ移動させて、溝部１９４の開口部２１４を開放する。さらに、そのまま溝部１９４をヒンジ軸１６４に近づけると、図８（Ａ）に示されるように、溝部１９４の右ガイド部１９８がヒンジ軸１６４のヒンジ軸部１６６に当接する、あるいは、先に左ガイド部２０２又はＲ部２００がヒンジ軸部１６６に当接する。ここで、ガラス枠２６の左上端部を右側へ少し傾けるようにすると、図８（Ｂ）に示されるように、溝部１９４は、右ガイド部１９８、又は左ガイド部２０２、Ｒ部２００がヒンジ軸部１６６に摺接しながら右方向へ移動する。そして、図８（Ｃ）に示されるように、溝部１９４の溝底部１９６はヒンジ軸部１６６に案内されて係合する。
【００５６】
この溝部１９４の溝底部１９６とヒンジ軸部１６６との係合によって、ガラス枠２６の左上端部は右側へ傾けられなくなり、ここで、ストッパー軸２０４の操作部２０８を押し下げている力を緩める、あるいは、操作部２０８から指を離すと、ストッパー軸２０４は圧縮コイルスプリング２１２により付勢されて先端部が溝部１９４の開口部２１４へ進入する（図６（Ａ）参照）。また、開口部２１４へ進入されたストッパー軸２０４の上端部は、中板部１８６の下面に当接したＥリング２１０により進入位置が規制されて開口部２１４の上側へ突出しないようにされる。このストッパー軸２０４によって、係合位置に配置された溝部１９４はヒンジ軸部１６６に対して離脱方向への移動が阻止され、係合状態に保持される。これにより、ガラス枠２６が内枠１４に取り付けられ、ヒンジ軸部１６６に係合されたヒンジ軸１６４と溝底部１９６が係合した上ヒンジ機構１７０とは、回転軸線Ｌ（図６参照）回りに相対回転可能となり、ガラス枠２６を内枠１４に対して開閉できるようになる。そして、図９（Ｄ）に示されるように、ガラス枠２６を閉塞方向に揺動させて内枠１４に接近させ、図９（Ｅ）に示されるように、内枠１４に閉塞すると、ストッパー軸２０４の操作部２０８は内枠１４の裏面側に向けられる。
【００５７】
また、ガラス枠２６の取り外しでは、ガラス枠２６を開放し、ガラス枠２６の裏面が露出されることで操作可能となるストッパー軸２０４の操作部２０８を、圧縮コイルスプリング２１２の付勢力に抗して下方へ押し下げてストッパー軸２０４を下方（退避方向）へ移動させ、ストッパー軸部２０６の先端部を溝部１９４の開口部２１４から退避させると（図６（Ｂ）参照）、ストッパー軸部２０６と溝底部１９６とは離間する方向へ相対移動可能となり、ストッパー軸部２０６と溝部１９４との係合状態が解除可能となる。ここで、ガラス枠２６の左上端部を左側へ傾けると、ストッパー軸２０４のストッパー軸部２０６と溝部１９４との係合状態は解除され、ガラス枠２６は内枠１４から取り外される。
【００５８】
このように、本実施形態のパチンコ機１０では、ガラス枠２６の取り付けにおいて、ストッパー軸２０４のストッパー軸部２０６と溝部１９４とを係合させるときは、溝部１９４の右ガイド部１９８、左ガイド部２０２、及びＲ部２００によってその係合位置に案内されるため、位置合わせが容易となる。また、例えば、針金やマイナスドライバー等を用いて内枠１４側の上ヒンジ板１６２とガラス枠２６側の上板部１９２との隙間２１６（図６（Ａ）参照）からストッパー軸２０４を不正に操作しようとしても、ストッパー軸２０４の上端部は溝部１９４の開口部２１４の上側へ突出されないため、ストッパー軸２０４を下方へ押し下げることは不可能になる。これにより、内枠１４に開閉可能に取り付けられるガラス枠２６の取付作業性が向上するとともにガラス枠２６が不正に外されて遊技盤１００の遊技部品やパチンコ機１０の内部が不正操作されることを確実に防止できる。
【００５９】
また、本実施形態では、ガラス枠２６の上ヒンジ機構１７０を構成する溝部１９４の溝底部１９６（係合凹部）と、右ガイド部１９８、左ガイド部２０２及びＲ部２００（案内部）と、円形孔１８０、１８８（支持手段）をガラス枠補強板１５０に一体的に設けていることにより、部品点数が削減されて部品コスト及び取付作業コストを低減できる。
【００６０】
以上、本発明を上述した特定の実施形態により詳細に説明したが、本発明はそれに限定されるものではなく、本発明の範囲内にて他の種々の実施形態が可能である。
【００６１】
例えば、上述した実施形態ではガラス枠取付機構１６０を構成するヒンジ軸１６４を内枠１４に、上ヒンジ機構１７０をガラス枠２６に設けているが、これは、ヒンジ軸をガラス枠に、上ヒンジ機構を内枠に設けるようにしてもよい。
【００６２】
また、本発明はパチンコ機に限らずパチスロ機等の他の遊技機にも適用することができる。
【図面の簡単な説明】
【００６３】
【図１】本発明の一実施形態に係るパチンコ機を示す正面図である。
【図２】図１のパチンコ機における内枠、ガラス枠、及び遊技盤を示す正面側から見た斜視図である。
【図３】図１のパチンコ機における内枠、ガラス枠、及び遊技盤を示す裏面側から見た斜視図である。
【図４】図１のパチンコ機における内枠及び遊技盤を示すとともに球通路部材が取り外された状態を示す裏面側から見た斜視図である。
【図５】図１のパチンコ機におけるガラス枠取付機構近傍の拡大斜視図である。
【図６】（Ａ）、（Ｂ）は図５のガラス枠取付機構における溝部に係合したヒンジ軸とストッパー軸との位置関係を示す側面図である。
【図７】図５のガラス枠取付機構におけるストッパー軸が取り外された状態を示す平面図でる。
【図８】（Ａ）〜（Ｃ）は図５のガラス枠取付機構における取付方向を示す平面図でる。
【図９】（Ｄ）、（Ｅ）は図５のガラス枠取付機構における取付方向を示す平面図でる。
【符号の説明】
【００６４】
１０        パチンコ機
１４        内枠（遊技機本体）
２６        ガラス枠（開閉枠）
１５０        ガラス枠補強板（一体化部材）
１６０        ガラス枠取付機構（取付手段）
１６４        ヒンジ軸
１６６        ヒンジ軸部
１７８        下板部（支持手段）
１８０        円形孔（支持手段）
１８６        中板部（支持手段／規制手段）
１８８        円形孔（支持手段）
１９２        上板部
１９４        溝部（係合凹部／案内部）
１９６        溝底部（係合凹部）
１９８        右ガイド部（案内部）
２００        Ｒ部（案内部）
２０２        左ガイド部（案内部）
２０４        ストッパー軸（移動部材）
２０６        ストッパー軸部
２１０        Ｅリング（規制手段）
２１２        圧縮コイルスプリング（付勢手段）
Ｌ        回転軸線
【図１】
2005204851.tif 000003
【図２】
2005204851.tif 000004
【図３】
2005204851.tif 000005
【図４】
2005204851.tif 000006
【図５】
2005204851.tif 000007
【図６】
2005204851.tif 000008
【図７】
2005204851.tif 000009
【図８】
2005204851.tif 000010
【図９】
2005204851.tif 000011